【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
スイッチに結合された一次巻線および出力コンデンサに結合された二次巻線を備えた変圧器を有するコンデンサ充電回路における装置であって、
前記一次巻線に関連する前記変圧器の一次側で、前記出力コンデンサと関連するＲＣ時定数に対して所定の関係をもつＲＣ時定数を有し、その両端間に調整電圧が提供されるＲＣ回路網と、
充電モードをイネーブルするためのイネーブル信号を提供するための前記調整電圧に応答する制御回路と、前記充電モードの間、前記スイッチがターンオンおよびターンオフされ、それにより前記出力コンデンサが充電され、そして前記充電モードがディセーブルされる、
を備えた装置。
【請求項２】
前記ＲＣ回路網の前記ＲＣ時定数は前記出力コンデンサと関連する前記ＲＣ時定数に実質的に等しい、請求項１に記載の装置。
【請求項３】
前記ＲＣ回路網の前記ＲＣ時定数は前記出力コンデンサと関連する前記ＲＣ時定数より小さい、請求項１に記載の装置。
【請求項４】
前記調整電圧が第１の所定のレベルより高くなると前記充電モードをディセーブルするために前記イネーブル信号が第１の論理レベルから第２の論理レベルに変化し、また、前記調整電圧が第２の所定のレベル未満まで降下すると前記充電モードをイネーブルするために前記イネーブル信号が前記第２の論理レベルから前記第１の論理レベルに変化し、前記第２の所定のレベルは前記第１の所定のレベルより低い、請求項１に記載の装置。
【請求項５】
前記一次巻線に結合され、前記一次巻線の両端間の電圧に比例する減衰電圧を提供するための減衰器と、前記減衰器と前記ＲＣ回路網の間に結合されたサンプルアンドホールド回路とをさらに備える、請求項１に記載の装置。
【請求項６】
前記制御回路は、
前記サンプルアンドホールド回路の出力に結合された第１の入力と、基準電圧に応答する第２の入力と、および出力電圧が所望のレベルより高くなると第１の論理レベルの完全充電インジケータ信号が提供され且つ前記出力電圧が前記所望のレベル未満になると第２の論理レベルの完全充電インジケータ信号が提供される出力とを有する第１の比較器と、
前記調整電圧に応答する第１の入力と、第２の基準電圧に応答する第２の入力と、および前記出力電圧が許容不可能なレベルより高くなると第１の論理レベルの低充電インジケータ信号が提供され且つ前記出力電圧が前記許容不可能なレベル未満になると第２の論理レベルの低充電インジケータ信号が提供される出力とを有する第２の比較器と、
を備えた、請求項５に記載の装置。
【請求項７】
前記サンプルアンドホールド回路は、サンプリングされ且つホールドされた電圧を提供し、また、前記減衰器と前記ＲＣ回路網の間に結合され、前記減衰電圧が前記サンプリングされ且つホールドされた電圧より高くなると導通するスイッチを備える、請求項６に記載の装置。
【請求項８】
前記制御回路は、
前記減衰器の出力に結合された第１の入力と、基準電圧に応答する第２の入力と、および出力電圧が所望のレベルより高くなると第１の論理レベルの完全充電インジケータ信号が提供され、また、前記出力電圧が前記所望のレベル未満になると第２の論理レベルの完全充電インジケータ信号が提供される出力とを有する第１の比較器と、
前記調整電圧に応答する第１の入力と、第２の基準電圧に応答する第２の入力と、および前記出力電圧が許容不可能なレベルより高くなると第１の論理レベルの許容不可充電インジケータ信号が提供され且つ前記出力電圧が前記許容不可能なレベル未満になると第２の論理レベルの許容不可充電インジケータ信号が提供される出力とを有する第２の比較器と、
を備えた、請求項５に記載の装置。
【請求項９】
前記サンプルアンドホールド回路は、
前記減衰電圧に応答する第１の入力と、前記調整電圧に応答する第２の入力および比較器出力信号が提供される出力を有する比較器と、
前記比較器出力信号によって制御され、前記減衰電圧が前記調整電圧より高くなると導通して前記ＲＣ回路網を充電するためのスイッチと、
を備える、請求項８に記載の装置。
【請求項１０】
前記一次巻線に結合され、前記一次巻線の両端間の電圧に比例する減衰電圧を提供するための減衰器をさらに備え、前記制御回路は、
前記減衰器の出力に結合された第１の入力と、基準電圧に応答する第２の入力と、および出力電圧が所望のレベルより高くなると第１の論理レベルの完全充電インジケータ信号が提供され且つ前記出力電圧が前記所望のレベル未満になると第２の論理レベルの完全充電インジケータ信号が提供される出力とを有する第１の比較器と、
前記調整電圧に応答する第１の入力と、第２の基準電圧に応答する第２の入力と、および前記出力電圧が許容不可能なレベルより高くなると第１の論理レベルの許容不可充電インジケータ信号が提供され且つ前記出力電圧が前記許容不可能なレベル未満になると第２の論理レベルの許容不可充電インジケータ信号が提供される出力とを有する第２の比較器と、
を備える、請求項１に記載の装置。
【請求項１１】
第３の基準電圧を提供する電圧源と、
前記電圧源に結合された入力および前記ＲＣ回路網に結合された出力を有し、前記イネーブル信号に応答して、前記充電モードがイネーブルされると前記第３の基準電圧を前記ＲＣ回路網に結合し且つ前記充電モードがディセーブルされると前記第３の基準電圧を前記ＲＣ回路網から解除するトライステートバッファであるバッファと、
をさらに備える、請求項１０に記載の装置。
【請求項１２】
スイッチに結合された一次巻線および出力コンデンサに結合された二次巻線を備え、前記出力コンデンサの両端間に出力電圧が提供される変圧器を有するコンデンサ充電回路において、前記出力コンデンサを実質的に完全充電状態に維持するための方法であって、
前記出力コンデンサの放電速度に対して所定の関係を有する速度で放電するＲＣ回路網の両端間の電圧を測定することによって前記変圧器の一次側から前記出力電圧を検出するステップと、
所定のレベルまで降下する前記ＲＣ回路網の両端間の前記電圧に応答して前記スイッチがターンオンおよびターンオフし、それにより前記出力コンデンサが充電される充電動作モードを開始するステップと、
を含む方法。
【請求項１３】
第２の所定のレベルより高くなる前記ＲＣ回路網の両端間の前記電圧に応答して前記充電動作モードを終了するステップを含み、前記第２の所定のレベルは前記第１の所定のレベルより高い、請求項１２に記載の方法。
【請求項１４】
一次巻線および二次巻線を有する変圧器と、
前記一次巻線に結合された端子を有するスイッチと、
前記スイッチのオン時間を制御するための第１の回路部分および前記スイッチのオフ時間を制御するための第２の回路部分を有し、前記第２の回路部分は、負の勾配から前記スイッチ端子の電圧の勾配の変化を検出する勾配検出回路を備える、スイッチ制御回路と、
を備える、フライバックコンバータ。
【請求項１５】
前記勾配検出回路は、
制御端子を有する、前記スイッチ端子に結合された感知スイッチと、
前記制御端子に結合されたクランプと、
前記制御端子に結合された抵抗器と、
前記制御端子に結合され、前記スイッチ端子の電圧の勾配が負の勾配から変化すると、第１の論理レベルから第２の論理レベルに変化する比較器出力信号を提供する比較器と、
を備える、請求項１４に記載のコンバータ。
【請求項１６】
前記スイッチは複数のスイッチからなり、前記感知スイッチは前記複数のスイッチのうちの１つである、請求項１５に記載のコンバータ。
【請求項１７】
前記勾配検出回路は、
前記スイッチ端子に結合された第１の端子および第２の端子を有するコンデンサと、
前記コンデンサの前記第２の端子に結合された抵抗器と、
前記コンデンサの前記第２の端子に結合され、前記スイッチ端子の電圧の勾配が負の勾配から変化すると、第１の論理レベルから第２の論理レベルに変化する比較器出力信号を提供する比較器と、
を備える、請求項１４に記載のコンバータ。
【請求項１８】
前記コンデンサの前記第２の端子と接地の間に結合されたクランプをさらに備える、請求項１７に記載のコンバータ。
【請求項１９】
前記比較器出力信号に応答するセット入力およびスイッチ制御信号が提供される出力を有するフリップフロップをさらに備え、前記スイッチ制御回路の前記第２の回路部分は、
前記スイッチに結合された第２の抵抗器と、
前記第２の抵抗器に結合された第１の入力および基準電圧に応答する第２の入力を有し、前記フリップフロップのリセット入力に出力信号を提供する第２の比較器と、
を備える、請求項１７に記載のコンバータ。
【請求項２０】
スイッチの端子に結合された一次巻線および二次巻線を備えた変圧器を有するフライバックコンバータにおける方法であって、
負の勾配から前記スイッチの端子の電圧の勾配の変化を検出するステップと、
前記検出に応答して前記スイッチをターンオンするステップと、
を含む方法。
【請求項２１】
検出するステップは、
前記スイッチ端子に結合された第１の端子を有し、かつ、第２の制御端子を有する感知スイッチを提供するステップと、
前記制御端子の電圧をクランプするステップと、
前記制御端子に結合される抵抗器を提供するステップと、
負の勾配からスイッチ端子の電圧の勾配の変化を検出するために、前記制御端子の電圧と基準電圧を比較するステップと、
を含む、請求項２０に記載の方法。
【請求項２２】
検出するステップは、
前記スイッチ端子に結合された第１の端子を有し、かつ、第２の端子を有するコンデンサを提供するステップと、
前記コンデンサの前記第２の端子に結合される抵抗器を提供するステップと、
負の勾配からスイッチ端子電圧の勾配の変化を検出するために、前記コンデンサの前記第２の端子の電圧と基準電圧を比較するステップと、
を含む、請求項２０に記載の方法。
【請求項２３】
前記コンデンサの前記第２の端子の電圧をクランプするステップをさらに含む、請求項２２に記載の方法。
【請求項２４】
いつ一次巻線電流が所定のレベルより大きくなるかを判断するために前記一次巻線に流れる電流を測定するステップと、
前記決定に応答して前記スイッチをターンオフするステップと、
をさらに含む、請求項２０に記載の方法。